(57)【特許請求の範囲】
【請求項１】
利用者を被写体として複数回撮影し、取得された撮影画像に対して、利用者による入力に応じた編集を施し、編集が施された前記撮影画像をシール紙に印刷する写真シール作成装置であって、
カメラによる前記利用者を被写体とした複数回の撮影を制御する撮影制御手段と、
複数回行われる撮影のうち、前記利用者の全身を撮影する全身撮影が行われる回数を前記利用者に選択させる回数選択画面の表示を制御する表示制御手段と
を備え、
前記表示制御手段は、前記利用者に選択された回数行われる前記全身撮影の撮影アングルの種類を、前記全身撮影の１回毎について前記利用者に選択させる種類選択画面の表示を制御し、
前記撮影制御手段は、前記全身撮影の１回毎に、前記利用者に選択された種類の撮影アングルでの前記全身撮影を行うよう制御する
写真シール作成装置。
【請求項２】
前記全身撮影の撮影アングルの種類には、前記利用者の全身を前記利用者の正面から撮影する第１の全身撮影の撮影アングルと、前記利用者の全身を前記利用者の斜め上から撮影する第２の全身撮影の撮影アングルとが含まれる
請求項１に記載の写真シール作成装置。
【請求項３】
前記表示制御手段は、前記全身撮影が行われる回数として、少なくとも１回を前記利用者に選択させる前記回数選択画面の表示を制御する
請求項１または２のいずれかに記載の写真シール作成装置。
【請求項４】
前記撮影制御手段は、複数回行われる撮影のうち、前記利用者に選択された回数行われる前記全身撮影以外の撮影として、前記利用者の顔および上半身を撮影するアップ撮影を行うよう制御する
請求項１乃至３のいずれかに記載の写真シール作成装置。
【請求項５】
前記撮影制御手段は、前記全身撮影が行われる回数として、複数回行われる撮影の全ての回数が選択された場合、前記全身撮影のみを行い、前記アップ撮影を行わないよう制御する
請求項４に記載の写真シール作成装置。
【請求項６】
前記撮影制御手段は、前記利用者に選択された回数行われる前記全身撮影の順序を、同一種類の撮影アングルでの前記全身撮影が連続して行われるように変更する
請求項１乃至５のいずれかに記載の写真シール作成装置。
【請求項７】
前記撮影制御手段は、１台の前記カメラによる複数回の撮影を制御する
請求項１乃至６のいずれかに記載の写真シール作成装置。
【請求項８】
前記全身撮影により得られた前記撮影画像を、前記全身撮影の撮影アングルの種類に応じたトリミング枠でトリミングするトリミング手段をさらに備える
請求項１乃至７のいずれかに記載の写真シール作成装置。
【請求項９】
前記トリミング手段は、前記全身撮影により得られた前記撮影画像における被写体領域の位置または大きさに基づいて、前記トリミング枠の位置または大きさを変更する
請求項８に記載の写真シール作成装置。
【請求項１０】
利用者を被写体として複数回撮影し、取得された撮影画像に対して、利用者による入力に応じた編集を施し、編集が施された前記撮影画像をシール紙に印刷する写真シール作成装置の写真シール作成方法であって、
前記写真シール作成装置が、
複数回行われる撮影のうち、前記利用者の全身を撮影する全身撮影が行われる回数を前記利用者に選択させる回数選択画面を表示し、
前記利用者に選択された回数行われる前記全身撮影の撮影アングルの種類を、前記全身撮影の１回毎について前記利用者に選択させる種類選択画面を表示し、
前記全身撮影の１回毎に、前記利用者に選択された種類の撮影アングルでの前記全身撮影を行う
ステップを含む写真シール作成方法。
【発明の詳細な説明】
【技術分野】
【０００１】
本発明は、写真シール作成装置および写真シール作成方法に関し、特に、利用者の好みの撮影アングルで撮影を行うことができるようにする写真シール作成装置および写真シール作成方法に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設などに設置される。
【０００３】
このような写真シール機として、例えば、設定された撮影時間または撮影回数に応じて、撮影条件の選択に要した時間によって、撮影可能回数または撮影残り時間が変化するようにした写真シール機が提案されている（例えば、特許文献１参照）。
【０００４】
また、撮影時間の短縮が指示された場合に、撮影回数や撮影アングル、落書き機能を追加するようにした写真シール機がある（例えば、特許文献２参照）。
【０００５】
さらに、利用者により選択された構図に応じて、利用者の全身を撮影することができる写真シール機がある（例えば、特許文献３参照）。
【０００６】
さらにまた、６回行われる撮影のうち、利用者の全身を撮影する全身撮影が、異なる撮影アングルで所定の回数ずつ行われるようにした写真シール機が知られている。
【先行技術文献】
【特許文献】
【０００７】
【特許文献１】特許第４６２１０６９号公報
【特許文献２】特許第３５７０４０８号公報
【特許文献３】特許第３６５６１１４号公報
【発明の概要】
【発明が解決しようとする課題】
【０００８】
しかしながら、上述したような全身撮影を行う写真シール機においては、全身撮影の回数も撮影アングルも予め決められているため、利用者は、全身撮影を行うことはできても、必ずしも好みの撮影アングルで全身撮影を行うことができるとは限らなかった。
【０００９】
具体的には、利用者に全身撮影の回数を選択させるとともに、それぞれの全身撮影における撮影アングルを選択させることはできなかった。
【００１０】
本発明は、このような状況に鑑みてなされたものであり、より確実に、好みの撮影アングルで撮影を行わせることができるようにするものである。
【課題を解決するための手段】
【００１１】
本発明の一側面の写真シール作成装置は、利用者を被写体として複数回撮影し、取得された撮影画像に対して、利用者による入力に応じた編集を施し、編集が施された前記撮影画像をシール紙に印刷する写真シール作成装置であって、カメラによる前記利用者を被写体とした複数回の撮影を制御する撮影制御手段と、複数回行われる撮影のうち、前記利用者の全身を撮影する全身撮影が行われる回数を前記利用者に選択させる回数選択画面の表示を制御する表示制御手段とを備え、前記表示制御手段は、前記利用者に選択された回数行われる前記全身撮影の撮影アングルの種類を、前記全身撮影の１回毎について前記利用者に選択させる種類選択画面の表示を制御し、前記撮影制御手段は、前記全身撮影の１回毎に、前記利用者に選択された種類の撮影アングルでの前記全身撮影を行うよう制御する。
【００１３】
前記全身撮影の撮影アングルの種類には、前記利用者の全身を前記利用者の正面から撮影する第１の全身撮影の撮影アングルと、前記利用者の全身を前記利用者の斜め上から撮影する第２の全身撮影の撮影アングルとが含まれるようにすることができる。
【００１４】
前記表示制御手段には、前記全身撮影が行われる回数として、少なくとも１回を前記利用者に選択させる前記回数選択画面の表示を制御させることができる。
【００１５】
前記撮影制御手段には、複数回行われる撮影のうち、前記利用者に選択された回数行われる前記全身撮影以外の撮影として、前記利用者の顔および上半身を撮影するアップ撮影を行うよう制御させることができる。
【００１６】
前記撮影制御手段には、前記全身撮影が行われる回数として、複数回行われる撮影の全ての回数が選択された場合、前記全身撮影のみを行い、前記アップ撮影を行わないよう制御させることができる。
【００１７】
前記撮影制御手段には、前記利用者に選択された回数行われる前記全身撮影の順序を、同一種類の撮影アングルでの前記全身撮影が連続して行われるように変更させることができる。
【００１８】
前記撮影制御手段には、１台の前記カメラによる複数回の撮影を制御させることができる。
【００１９】
前記全身撮影により得られた前記撮影画像を、前記全身撮影の撮影アングルの種類に応じたトリミング枠でトリミングするトリミング手段をさらに設けることができる。
【００２０】
前記トリミング手段には、前記全身撮影により得られた前記撮影画像における被写体領域の位置または大きさに基づいて、前記トリミング枠の位置または大きさを変更させることができる。
【００２１】
本発明の一側面の写真シール作成方法は、利用者を被写体として複数回撮影し、取得された撮影画像に対して、利用者による入力に応じた編集を施し、編集が施された前記撮影画像をシール紙に印刷する写真シール作成装置の写真シール作成方法であって、前記写真シール作成装置が、複数回行われる撮影のうち、前記利用者の全身を撮影する全身撮影が行われる回数を前記利用者に選択させる回数選択画面を表示し、前記利用者に選択された回数行われる前記全身撮影の撮影アングルの種類を、前記全身撮影の１回毎について前記利用者に選択させる種類選択画面を表示し、前記全身撮影の１回毎に、前記利用者に選択された種類の撮影アングルでの前記全身撮影を行うステップを含む。
【００２２】
本発明の一側面においては、複数回行われる撮影のうち、利用者の全身を撮影する全身撮影が行われる回数を利用者に選択させる回数選択画面が表示され、利用者に選択された回数行われる全身撮影の撮影アングルの種類を、全身撮影の１回毎について利用者に選択させる種類選択画面が表示され、全身撮影の１回毎に、利用者に選択された種類の撮影アングルでの全身撮影が行われる。
【発明の効果】
【００２３】
本発明によれば、より確実に、好みの撮影アングルで撮影を行わせることが可能となる。
【図面の簡単な説明】
【００２４】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】事前接客部の構成例を示す図である。
【図５】撮影部の構成例を示す図である。
【図６】背景部の構成例を示す図である。
【図７】編集ユニットの正面の構成例を示す図である。
【図８】編集ユニットの側面の構成例を示す図である。
【図９】写真シール作成装置の内部の構成例を示すブロック図である。
【図１０】制御部の機能構成例を示すブロック図である。
【図１１】事前接客処理部の機能構成例を示すブロック図である。
【図１２】撮影処理部の機能構成例を示すブロック図である。
【図１３】編集処理部の機能構成例を示すブロック図である。
【図１４】写真シール作成ゲーム処理の流れの例を説明するフローチャートである。
【図１５】事前接客処理について説明するフローチャートである。
【図１６】全身撮影枚数選択画面の例を示す図である。
【図１７】全身撮影種類選択画面の例を示す図である。
【図１８】撮影処理について説明するフローチャートである。
【図１９】正面全身撮影時のトリミング処理について説明する図である。
【図２０】上から全身撮影時のトリミング処理について説明する図である。
【図２１】アップ撮影時のトリミング処理について説明する図である。
【図２２】編集処理について説明するフローチャートである。
【図２３】シールレイアウトの例を示す図である。
【図２４】シールレイアウトの例を示す図である。
【図２５】シールレイアウトの例を示す図である。
【図２６】シールレイアウトの例を示す図である。
【図２７】シールレイアウトの例を示す図である。
【図２８】シールレイアウトの例を示す図である。
【発明を実施するための形態】
【００２５】
以下、本発明を適用した具体的な実施の形態について、図面を参照しながら詳細に説明する。
【００２６】
［写真シール作成装置の外観構成］
図１および図２は、写真シール作成装置１の外観の構成例を示す斜視図である。
【００２７】
写真シール作成装置１は、撮影画像や編集済み画像を提供するゲーム機である。画像の提供は、シール紙に印刷した形で行われることもあるし、サーバに送信した画像を利用者の携帯端末上で閲覧可能にする形で行われることもある。写真シール作成装置１は、アミューズメント施設などの施設や店舗に設置される。利用者は、主に女子高生や女子大生などの若い女性が中心とされる。写真シール作成装置１において、利用者は、主に１組あたり２人や３人などの複数人でゲームを楽しむことができる他、１人でもゲームを楽しむことができる。
【００２８】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済み画像が印刷されたシール紙を受け取って一連のゲームを終了させる。
【００２９】
図１に示すように、写真シール作成装置１は、基本的に、撮影ユニット１１と編集ユニット１２が接した状態で設置されることによって構成される。
【００３０】
撮影ユニット１１は、事前接客部２０、撮影部２１、および背景部２２から構成される。事前接客部２０は、撮影部２１の側面に設置されており、その前方の空間が、事前接客処理を行う事前接客空間となる。また、撮影部２１と背景部２２は所定の距離だけ離れて設置され、撮影部２１と背景部２２の間に形成される空間が、撮影処理を行う撮影空間となる。
【００３１】
事前接客部２０は、写真シール作成装置１によって提供されるゲームを紹介するガイダンスを行ったり、撮影空間で行われる撮影処理における各種の設定を行ったりする事前接客処理を行う装置である。事前接客部２０には、利用者による代金を受け取る硬貨投入口や、各種の操作に用いられるタッチパネルモニタなどが設けられる。事前接客部２０は、撮影空間の空き状況に応じて、適宜、事前接客空間にいる利用者を撮影空間へと案内する。
【００３２】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て左側の面を左側面、右側の面を右側面とすると、撮影部２１の左側面が側面パネル４１Ａにより構成され、右側面が側面パネル４１Ｂ（図３）により構成され、さらに、正面が正面パネル４２により構成される。なお、側面パネル４１Ａには、上述した事前接客部２０が設置されるものとするが、事前接客部２０は、側面パネル４１Ｂに設置されるようにしてもよいし、側面パネル４１Ａ，４１Ｂの両方に設置されるようにしてもよい。
【００３３】
背景部２２は、正面を向いて撮影を行っている利用者の背面側に位置する板状の部材である背面パネル５１、背面パネル５１の左端に取り付けられ、側面パネル４１Ａより横幅の狭い板状の部材である側面パネル５２Ａ、および、背面パネル５１の右端に取り付けられ、側面パネル４１Ｂより横幅の狭い板状の部材である側面パネル５２Ｂ（図３）から構成される。
【００３４】
撮影部２１の左側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の右側面を構成する側面パネル４１Ｂと背景部２２の側面パネル５２Ｂも同様に、ほぼ同一平面に設けられ、上部において連結部２３Ｂ（図示せず）によって連結され、下部において連結部２３Ｂ’（図示せず）によって連結される。
【００３５】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３６】
撮影空間の上方には、撮影部２１の正面、連結部２３Ａ、および連結部２３Ｂに囲まれた天井が形成され、その天井の一部として天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００３７】
編集ユニット１２は、撮影画像の編集処理を行う装置である。編集ユニット１２は、一方の側面が撮影部２１の背面に接するように撮影ユニット１１に連結して設けられる。
【００３８】
図１および図２に示される編集ユニット１２の構成を正面側の構成とすると、２組の利用者が同時に編集を行うことができるように、編集ユニット１２の正面側と背面側には編集に用いられる構成がそれぞれ設けられる。
【００３９】
編集ユニット１２の正面側は、床面に対して垂直な面であり、撮影部２１の側面パネル４１Ａとほぼ平行な面である面６１と、面６１の上方に形成された斜面６２から構成される。斜面６２には、編集作業に用いられる構成として、タブレット内蔵モニタやタッチペンが設けられる。斜面６２の左側には、照明装置６４の一端を支持する柱状の支持部６３Ａが設けられる。斜面６２の右側にも、照明装置６４の他端を支持する柱状の支持部６３Ｂが設けられる。支持部６３Ａの上面にはカーテンレール２５を支持する支持部６５が設けられる。
【００４０】
編集ユニット１２の上方にはカーテンレール２５が取り付けられる。カーテンレール２５は、３本のレール２５Ａ乃至２５Ｃを、上から見たときの形状がコの字状となるように組み合わせることによって構成される。平行に設けられるレール２５Ａと２５Ｂの一端は、連結部２３Ａと連結部２３Ｂにそれぞれ固定され、他端にレール２５Ｃの両端が接合される。
【００４１】
カーテンレール２５には、編集ユニット１２の正面前方の空間と背面前方の空間の内部が外から見えないようにカーテンが取り付けられる。カーテンレール２５に取り付けられたカーテンにより囲まれる編集ユニット１２の正面前方の空間と背面後方の空間が、利用者が撮影画像の編集を行う編集空間となる。
【００４２】
また、後述するが、編集ユニット１２の左側面には、印刷済みのシール紙が排出される排出口が設けられる。編集ユニット１２の左側面前方の空間が、利用者が印刷済みのシール紙が排出されるのを待つ印刷待ち空間となる。
【００４３】
［利用者の移動について］
ここで、写真シール作成ゲームの流れと、それに伴う利用者の移動について説明する。図３は、写真シール作成装置１を上から見た平面図である。
【００４４】
まず、事前接客部２０の前方の空間である事前接客空間Ａ０において硬貨投入口に代金を投入した利用者は、タッチパネルモニタに表示される画面に従って各種の設定を行う。事前接客空間Ａ０においては、例えば、撮影空間で行われる撮影処理のコース選択や、撮影画像の背景選択が事前接客作業として行われる。
【００４５】
事前接客作業を終えた利用者は、白抜き矢印＃１で示すように、側面パネル４１Ａと側面パネル５２Ａの間の出入り口Ｇ１から、撮影部２１と背景部２２の間に形成された撮影空間Ａ１に入り、撮影部２１に設けられたカメラやタッチパネルモニタなど利用して撮影を行う。
【００４６】
撮影を終えた利用者は、白抜き矢印＃２で示すように出入り口Ｇ２を使って撮影空間Ａ１から出て編集空間Ａ２−１に移動するか、または、白抜き矢印＃３で示すように、側面パネル４１Ｂと側面パネル５２Ｂの間の出入り口Ｇ１を使って撮影空間Ａ１から出て編集空間Ａ２−２に移動する。
【００４７】
編集空間Ａ２−１は、編集ユニット１２の背面側の編集空間であり、編集空間Ａ２−２は、編集ユニット１２の正面側の編集空間である。編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００４８】
編集が終了した後、撮影画像や編集済み画像の印刷が開始される。画像の印刷が開始されると、編集空間Ａ２−１での編集を終えた利用者は、白抜き矢印＃４で示すように編集空間Ａ２−１から印刷待ち空間Ａ３に移動する。また、編集空間Ａ２−２での編集を終えた利用者は、白抜き矢印＃５で示すように編集空間Ａ２−２から印刷待ち空間Ａ３に移動する。
【００４９】
印刷待ち空間Ａ３に移動した利用者は、画像の印刷の終了を待ち、編集ユニット１２の右側面に設けられた排出口からシール紙を受け取り、一連の写真シール作成ゲームを終えることになる。
【００５０】
次に、各装置の構成について説明する。
【００５１】
［事前接客部の構成］
図４は、側面パネル４１Ａに設置される事前接客部２０の正面側の構成例を示す図である。
【００５２】
事前接客部２０の上方にはタッチパネルモニタ７１が設けられる。タッチパネルモニタ７１は、LCD(Liquid Crystal Display)などのモニタと、それに積層されたタッチパネルにより構成される。タッチパネルモニタ７１は、各種のGUI(Graphical User Interface)を表示し、利用者の選択操作を受け付ける機能を備えている。タッチパネルモニタ７１には、コース選択や背景選択などの事前接客処理に用いられる画面が表示される。
【００５３】
タッチパネルモニタ７１の下には、事前接客処理の案内音声、BGM（Back Ground Music）、効果音などの音を出力する２つのスピーカ７２が設けられるとともに、２つのスピーカ７２に挟まれるようにして、利用者が硬貨を入れる硬貨投入返却口７３が設けられる。
【００５４】
［撮影部の構成］
図５は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５５】
正面パネル４２の中央には、カメラユニット８１が設けられる。カメラユニット８１は、カメラ９１およびタッチパネルモニタ９２から構成される。
【００５６】
カメラ９１は、例えば一眼レフカメラであり、レンズが露出するようにカメラユニット８１の内部に取り付けられる。カメラ９１はCCD(Charge Coupled Device)イメージセンサやCMOS（Complementary Metal Oxide Semiconductor）イメージセンサなどの撮像素子を有し、撮影空間Ａ１にいる利用者を撮影する。カメラ９１により取り込まれた動画像（以下、ライブビュー画像ともいう）は、タッチパネルモニタ９２にリアルタイムで表示される。利用者により撮影が指示されたときなどの所定のタイミングでカメラ９１により取り込まれた静止画像は、撮影画像として保存される。
【００５７】
カメラ９１の下に設けられたタッチパネルモニタ９２は、LCDなどのモニタと、それに積層されたタッチパネルにより構成される。タッチパネルモニタ９２は、カメラ９１により取り込まれた動画像を表示するライブビューモニタとしての機能と、各種のGUIを表示し、利用者の選択操作を受け付ける機能を備えている。タッチパネルモニタ９２には、カメラ９１により取り込まれた動画像（ライブビュー画像）や静止画像（撮影画像）が表示される。
【００５８】
なお、詳細は後述するが、行われる撮影の種類によって、カメラユニット８１は、上下方向に可動する構造を有し、その高さが調整されるようになされており、カメラ９１は、仰角または俯角（以下、チルト角ともいう）が調整されるようになされている。
【００５９】
カメラユニット８１の上方には、曲面の発光面を利用者に向けた上ストロボ８２が設置される。上ストロボ８２は、上方から利用者の顔および上半身を照射する。また、カメラユニット８１の利用者から見て左側には、利用者を前方左側から照射する左ストロボ８３が設置され、カメラユニット８１の利用者から見て右側には、利用者を前方右側から照射する右ストロボ８４が設置される。さらに、ベース部４３には利用者の下半身および足元を照射する足元ストロボ８５が設けられる。
【００６０】
ベース部４３の左右両側の空間は、撮影を行う利用者が手荷物などを置くための荷物置き場として用いられる。また、図示はしないが、正面パネル４２の例えば天井付近には、撮影処理の案内音声、BGM、効果音などの音を出力するスピーカも設けられる。
【００６１】
［背景部の構成］
図６は、背景部２２の撮影空間Ａ１側の構成例を示す図である。
【００６２】
背面パネル５１の撮影空間Ａ１側（図中、手前側）の面には、背面カーテン１２１が貼り付けられる。背面カーテン１２１の色は、例えば緑色とされる。また、図示はしないが、側面パネル５２Ａ，５２Ｂそれぞれの撮影空間Ａ１側にも、背面カーテン１２１と同様の側面カーテンが貼り付けられる。この側面カーテンの色は、背面カーテン１２１の色と同一とする。
【００６３】
このような緑色のカーテンを、クロマキー用のカーテンとして撮影が行われることで、撮影処理や編集処理においてクロマキー処理を行い、利用者が所望する背景画像をカーテンの部分に合成することが可能となる。
【００６４】
［編集ユニットの構成］
図７は、編集ユニット１２の正面側（編集空間Ａ２−２側）の構成例を示す図である。
【００６５】
斜面６２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６６】
タブレット内蔵モニタ１３１は、タッチペン１３２Ａまたはタッチペン１３２Ｂを用いて操作入力が可能なタブレットがディスプレイを露出するように設けられることによって構成される。タブレット内蔵モニタ１３１には、例えば、撮影画像の編集に用いられる編集画面が表示される。２人の利用者が同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００６７】
図８は、編集ユニット１２の左側面の構成例を示す図である。
【００６８】
編集ユニット１２の左側面下方にはシール紙排出口１６１が設けられる。編集ユニット１２の内部にはプリンタが設けられており、編集空間Ａ２−１の利用者が写る画像、または、編集空間Ａ２−２の利用者が写る画像が所定のレイアウト（以下、シールレイアウトという）でシール紙に印刷され、シール紙排出口１６１から排出される。
【００６９】
［写真シール作成装置の内部構成］
図９は、写真シール作成装置１の内部の構成例を示すブロック図である。図９において、上述した構成と同じ構成には同じ符号を付してあり、重複する説明については適宜省略する。
【００７０】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、事前接客部２０８、撮影部２０９、編集部２１０Ａ，２１０Ｂ、および印刷部２１１の各構成も接続される。
【００７１】
記憶部２０２は、ハードディスクやフラッシュメモリなどの不揮発性の記憶媒体からなり、制御部２０１から供給された各種の設定情報などを記憶する。記憶部２０２に記憶されている情報は制御部２０１により適宜読み出される。
【００７２】
通信部２０３は、インターネットなどのネットワークのインタフェースであり、制御部２０１による制御に従って外部の装置と通信を行う。通信部２０３は、例えば撮影画像や編集済み画像をサーバに送信する。通信部２０３から送信された画像は、サーバにおいて所定の記憶領域が割り当てられて保存され、サーバにアクセスしてきた携帯端末に表示されたり、ダウンロードされたりする。
【００７３】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７４】
ROM２０６には、制御部２０１において実行されるプログラムやデータが記憶されている。RAM２０７は、制御部２０１が処理するデータやプログラムを一時的に記憶する。
【００７５】
事前接客部２０８は、事前接客空間Ａ０にいる利用者を対象とした事前接客処理を行う。事前接客部２０８は、タッチパネルモニタ７１、スピーカ７２、および硬貨処理部２２１から構成される。
【００７６】
タッチパネルモニタ７１は、制御部２０１による制御に従って各種の選択画面を表示し、選択画面に対する利用者の操作を受け付ける。利用者の操作の内容を表す入力信号は制御部２０１に供給され、各種の選択処理が行われる。
【００７７】
硬貨処理部２２１は、硬貨投入返却口７３に対する硬貨の投入を検出する。硬貨処理部２２１は、例えば４００円などの所定の金額分の硬貨が投入されたことを検出した場合、そのことを表す起動信号を制御部２０１に出力する。
【００７８】
撮影部２０９は、撮影空間Ａ１にいる利用者を対象とした撮影処理を行う。撮影部２０９は、照明装置２３１、カメラ９１、タッチパネルモニタ９２、およびスピーカ２３２から構成される。
【００７９】
照明装置２３１は、撮影空間Ａ１内の各ストロボとして構成され、制御部２０１から供給される照明制御信号に従って発光する。撮影空間Ａ１には、天井ストロボユニット２４のストロボの他に、撮影部２１の上ストロボ８２、左ストロボ８３、右ストロボ８４、および足元ストロボ８５が設けられており、制御部２０１による制御に基づいてそれぞれ発光する。
【００８０】
カメラ９１は、制御部２０１によるシャッタ制御に従って撮影を行い、撮影によって得られた画像（画像データ）を制御部２０１に出力する。
【００８１】
編集部２１０Ａは、編集空間Ａ２−１にいる利用者を対象とした編集処理を行う。編集部２１０Ａは、タブレット内蔵モニタ１３１、タッチペン１３２Ａ，１３２Ｂ、およびスピーカ２４１から構成される。編集部２１０Ｂは、編集部２１０Ａと同一の構成を有しており、編集空間Ａ２−２にいる利用者を対象とした編集処理を行う。なお、以下、編集部２１０Ａ，２１０Ｂを特に区別しない場合には、単に、編集部２１０という。
【００８２】
タブレット内蔵モニタ１３１は、制御部２０１による制御に従って編集画面を表示し、編集画面に対する利用者の操作を受け付ける。利用者の操作の内容を表す入力信号は制御部２０１に供給され、編集対象となる撮影画像の編集が行われる。
【００８３】
印刷部２１１は、印刷待ち空間Ａ３にいる利用者に印刷済みのシール紙を提供する印刷処理を行う。印刷部２１１は、プリンタ２５１を含むように構成される。プリンタ２５１にはシール紙ユニット２５２が装着される。
【００８４】
プリンタ２５１は、制御部２０１から供給された印刷データに基づいて、撮影画像や編集済み画像をシール紙ユニット２５２に収納されているシール紙２６１に印刷し、シール紙排出口１６１に排出する。
【００８５】
［制御部の構成］
図１０は、制御部２０１の機能構成例を示すブロック図である。図１０に示す機能部のうちの少なくとも一部は、制御部２０１内のCPUにより所定のプログラムが実行されることによって実現される。
【００８６】
制御部２０１においては、事前接客処理部３０１、撮影処理部３０２、編集処理部３０３、および印刷処理部３０４が実現される。
【００８７】
事前接客処理部３０１は、事前接客部２０８の各部を制御し、事前接客処理を行う。撮影処理部３０２は、撮影部２０９の各部を制御し、撮影処理を行う。編集処理部３０３は、編集部２１０の各部を制御し、編集処理を行う。印刷処理部３０４は、印刷部２１１のプリンタ２５１を制御し、印刷処理を行う。
【００８８】
［事前接客処理部の構成例］
図１１は、事前接客処理部３０１の機能構成例を示すブロック図である。
【００８９】
事前接客処理部３０１は、表示制御部３１１、入力受付部３１２、およびガイダンス出力制御部３１３から構成される。
【００９０】
表示制御部３１１は、タッチパネルモニタ７１の表示を制御する。例えば、表示制御部３１１は、撮影空間において行われる撮影処理の各種のコースを選択させるための選択画面や、撮影画像の背景を選択させるための選択画面をタッチパネルモニタ７１に表示させる。
【００９１】
入力受付部３１２は、タッチパネルモニタ７１に対する、利用者による操作入力を受け付ける。具体的には、入力受付部３１２は、タッチパネルモニタ７１に表示された各種の選択画面に対する選択の操作入力を受け付ける。
【００９２】
ガイダンス出力制御部３１３は、各種の選択操作を説明するガイダンスの出力を制御する。ガイダンス出力制御部３１３は、表示制御部３１１を制御し、各種の選択操作を説明する画面を表示させたり、音声をスピーカ７２から出力させたりする。
【００９３】
［撮影処理部の構成例］
図１２は、撮影処理部３０２の機能構成例を示すブロック図である。
【００９４】
撮影処理部３０２は、表示制御部３２１、入力受付部３２２、撮影制御部３２３、およびガイダンス出力制御部３２４から構成される。
【００９５】
表示制御部３２１は、タッチパネルモニタ９２の表示を制御する。例えば、表示制御部３２１は、タッチパネルモニタ９２に、カメラ９１に取り込まれた動画像をライブビュー表示させたり、撮影結果である撮影画像を表示させたりする。
【００９６】
入力受付部３２２は、タッチパネルモニタ９２に対する、利用者による操作入力を受け付ける。
【００９７】
撮影制御部３２３は、カメラ９１を制御し、利用者を被写体として撮影を行い、撮影画像を取得する。
【００９８】
ガイダンス出力制御部３２４は、撮影の進め方などを説明するガイダンスの出力を制御する。ガイダンス出力制御部３２４は、表示制御部３２１を制御し、撮影の進め方などを説明する画面を表示させたり、音声をスピーカ２３２から出力させたりする。
【００９９】
［編集処理部の構成例］
図１３は、編集処理部３０３の機能構成例を示すブロック図である。
【０１００】
編集処理部３０３は、表示制御部３３１、入力受付部３３２、画像処理部３３３、編集部３３４、ガイダンス出力制御部３３５、および通信制御部３３６から構成される。
【０１０１】
表示制御部３３１は、タブレット内蔵モニタ１３１の表示を制御する。例えば、表示制御部３３１は、タブレット内蔵モニタ１３１に、撮影画像に施される画像処理の内容を選択させるための選択画面や、撮影画像を対象とした編集を行わせるための編集画面を表示させる。
【０１０２】
入力受付部３３２は、タブレット内蔵モニタ１３１に対する、利用者によるタッチペン１３２Ａ，１３２Ｂを用いた操作入力を受け付ける。例えば、入力受付部３１２は、選択画面における画像処理の内容の選択や、編集画面に対する編集入力を受け付ける。
【０１０３】
画像処理部３３３は、選択画面に対する選択操作に応じて、撮影画像に所定の画像処理を施す。
【０１０４】
編集部３３４は、編集画面に対する編集入力操作に応じて、撮影画像に対する編集を行う。
【０１０５】
ガイダンス出力制御部３３５は、編集の進め方などを説明するガイダンスの出力を制御する。ガイダンス出力制御部３３５は、表示制御部３３１を制御し、編集の進め方などを説明する画面を表示させたり、音声をスピーカ２４１から出力させたりする。
【０１０６】
通信制御部３３６は、通信部２０３を制御し、インターネットなどのネットワークを介した通信に関する処理を行う。例えば、通信制御部３３６は、通信部２０３を制御することで、撮影処理に得られた撮影画像や、編集の結果得られた編集済み画像を、外部のサーバへ送信する。
【０１０７】
［写真シール作成装置の動作］
ここで、図１４のフローチャートを参照して、写真シール作成ゲームを提供する写真シール作成装置１の動作について説明する。
【０１０８】
ステップＳ１において、事前接客処理部３０１は、所定の金額分の硬貨が投入されたか否かを硬貨処理部２２１から供給される起動信号に基づいて判定し、投入されたと判定するまで待機する。
【０１０９】
ステップＳ１において、硬貨が投入されたと判定された場合、ステップＳ２において、事前接客処理部３０１は、事前接客部２０８を制御し、撮影空間で行われる撮影処理の各種のコース選択や、撮影画像の背景選択などを利用者に行わせることで、各種の設定を行う事前接客処理を行う。
【０１１０】
ステップＳ３において、撮影処理部３０２は、撮影部２０９を制御し、カメラ９１に取り込まれた被写体の動画像をタッチパネルモニタ９２にライブビュー表示させ、撮影空間Ａ１にいる利用者を被写体として撮影し、撮影画像を取得する撮影処理を行う。
【０１１１】
ステップＳ４において、編集処理部３０３は、編集空間Ａ２−１と編集空間Ａ２−２のうち、撮影処理を終えた利用者の移動先とした方の編集空間に対応する編集部２１０を制御し、撮影処理により得られた撮影画像に対して利用者に編集作業を行わせ、編集が施された編集済み画像を生成する編集処理を行う。
【０１１２】
ステップＳ５において、印刷処理部３０４は、撮影処理により得られた撮影画像、または編集処理により得られた編集済み画像を、印刷画像としてプリンタ２５１に出力してシール紙に印刷する印刷処理を行う（開始する）。
【０１１３】
印刷が終了すると、ステップＳ６において、プリンタ２５１は、画像が印刷されたシール紙をシール紙排出口１６１に排出し、処理を終了させる。
【０１１４】
［事前接客処理の流れ］
次に、図１５のフローチャートを参照して、上述した写真シール作成ゲームの一連の処理におけるステップＳ２の事前接客処理の流れを説明する。
【０１１５】
事前接客処理が開始されると、ステップＳ１１において、表示制御部３１１は、人数コース選択画面をタッチパネルモニタ７１に表示させる。
【０１１６】
人数コース選択画面は、利用者の人数に応じて行われる撮影の種類を決定する人数コースの選択に用いられる画面である。人数コースには、利用者が２人の場合に適した撮影が行われる２人用コースと、利用者が３人以上、特に４人以上の場合に適した撮影が行われる大人数コースとがある。
【０１１７】
人数コース選択画面が操作されることによって、入力受付部３１２は、人数コースの選択を受け付ける。いずれかの人数コースの選択が受け付けられた場合、処理はステップＳ１２に進む。
【０１１８】
ステップＳ１２において、表示制御部３１１は、背景コース選択画面をタッチパネルモニタ７１に表示させる。
【０１１９】
背景コース選択画面は、撮影により得られる撮影画像の背景の種類を決定する背景コースの選択に用いられる画面である。背景コースには、背景の色として彩度の低い黒や白を基調とした色を用意することで、撮影画像の仕上がりを洗練された落ち着いた雰囲気にする「KUROコース」と、背景の色として彩度の高い原色を基調とした色を用意することで、撮影画像の仕上がりを華やかな雰囲気にする「IROコース」とがある。
【０１２０】
背景コース選択画面が操作されることによって、入力受付部３１２は、背景コースの選択を受け付ける。このとき、ステップＳ１１において、人数コースとして２人用コースの選択が受け付けられている場合、処理はステップＳ１３に進む。
【０１２１】
ステップＳ１３において、表示制御部３１１は、全身撮影枚数選択画面をタッチパネルモニタ７１に表示させる。
【０１２２】
図１６は、全身撮影枚数選択画面の例を示す図である。
【０１２３】
全身撮影枚数選択画面の上方には、「全身撮影の枚数を選んでね」のメッセージが表示され、その下に、全身撮影により得られる撮影画像の枚数（全身撮影が行われる回数）として１枚（１回）を選択するときに操作されるボタン４１１、２枚（２回）を選択するときに操作されるボタン４１２、３枚（３回）を選択するときに操作されるボタン４１３、４枚（４回）を選択するときに操作されるボタン４１４、および、５枚（５回）を選択するときに操作されるボタン４１５が表示される。
【０１２４】
本実施の形態の撮影処理においては、合計６回の撮影が行われる。詳細は後述するが、そのうちの６回目の撮影は、利用者が所有する携帯端末に送信するためだけの携帯送信専用の画像を得るための撮影（以下、適宜、ケータイ専用撮影という）とされる。一方、１乃至５回目の撮影により得られる撮影画像は、編集処理の対象とされてシール紙に印刷されることはもちろん、携帯端末に送信される対象にもなり得る。
【０１２５】
全身撮影枚数選択画面においては、その１乃至５回目の撮影のうち、全身撮影が行われる回数が利用者により選択される。なお、１乃至５回目の撮影のうち、全身撮影が行われる回数として４回以下の回数が選択された場合、全身撮影以外の残りの撮影として、アップ撮影が行われる。なお、全身撮影が行われる回数として５回が選択された場合、全身撮影のみが行われ、アップ撮影は行われないようになる。
【０１２６】
ここで、全身撮影は、利用者の全身を撮影するための撮影とされ、アップ撮影は、主に利用者の顔および上半身を撮影するための撮影とされる。また、全身撮影が行われる際、カメラ９１は、ズームインするように焦点距離が調整され、アップ撮影が行われる際、カメラ９１は、ズームアウトするように焦点距離が調整されるようになされる。そして、全身撮影には、利用者の全身を利用者の正面から撮影する正面全身撮影と、利用者の全身を利用者の斜め上から撮影する上から全身撮影の２種類がある。言い換えると、全身撮影には、２種類の撮影アングルで行われる全身撮影がある。
【０１２７】
なお、全身撮影枚数選択画面において、全身撮影が行われる回数として選択可能な回数は、１乃至５回のいずれかであるので、１乃至５回目の撮影のうちの少なくとも１回は、全身撮影が行われることになる。
【０１２８】
全身撮影枚数選択画面において、ボタン４１１乃至４１５のいずれかが操作されることによって、入力受付部３１２は、全身撮影の回数の選択を受け付ける。全身撮影の回数の選択が受け付けられると、処理はステップＳ１４に進み、表示制御部３１１は、全身撮影種類選択画面をタッチパネルモニタ７１に表示させる。なお、所定時間内に、全身撮影の回数の選択が受け付けられなかった場合（すなわち、タイムアウト時）には、全身撮影の回数として２回が選択されたものとして、処理が進められる。
【０１２９】
図１７は、全身撮影種類選択画面の例を示す図である。
【０１３０】
全身撮影種類選択画面の上方には、「全身撮影の種類を選んでね」のメッセージが表示され、その下に、１乃至５回の撮影により得られる撮影画像のサンプルとなるモデル画像が表示されるモデル画像表示領域４３１−１乃至４３１−５が設けられる。
【０１３１】
全身撮影種類選択画面が表示されたとき、モデル画像表示領域４３１−１乃至４３１−５のうち、アップ撮影が行われる回に対応するモデル画像表示領域には、モデルを被写体とした、モデルの顔および上半身が写るアップ画像が表示される。
【０１３２】
図１７の例では、モデル画像表示領域４３１−１，４３１−２に、モデルを被写体としたアップ画像が表示されているので、撮影処理において行われる１乃至５回の撮影のうち、１回目と２回目の撮影としてアップ撮影が行われることになる。つまり、図１７の例では、全身撮影枚数選択画面において、ボタン４１３が操作されることで、全身撮影の回数として３回が選択されていることになる。
【０１３３】
この場合、モデル画像表示領域４３１−３乃至４３１−５には、モデルを被写体とした、モデルの全身が写る全身画像が表示されることになるが、全身撮影種類選択画面においては、全身撮影枚数選択画面において利用者に選択された回数だけ行われる全身撮影それぞれの撮影アングルの種類が利用者に選択されるようになされている。
【０１３４】
すなわち、図１７の例では、３回行われる全身撮影のそれぞれについて、全身撮影の撮影アングルの種類が利用者に選択される。具体的には、図１７の例においては、モデル画像表示領域４３１−３乃至４３１−５の下側に表示されている吹き出し状の矩形により、モデル画像表示領域４３１−３が指示されており、その吹き出し状の矩形内に、モデル画像表示領域４３１−３に対応する全身撮影の撮影アングルの種類として、正面全身撮影を選択させるためのボタン４３２と、上から全身撮影を選択させるためのボタン４３３とが表示されている。
【０１３５】
ボタン４３２には、モデルの全身がその正面から写されたモデル画像（正面全身画像）が表示され、ボタン４３３には、モデルの全身がその斜め上から写されたモデル画像（上から全身画像）が表示される。
【０１３６】
そして、ボタン４３２，４３３のいずれかが操作されることによって、入力受付部３１２は、その全身撮影の撮影アングルの種類の選択を受け付ける。そして、モデル画像表示領域４３１−４，４３１−５についても同様に、全身撮影の撮影アングルの種類の選択が受け付けられる。
【０１３７】
このようにして、利用者に選択された回数行われる全身撮影それぞれの撮影アングルの種類が受け付けられると、処理はステップＳ１５に進む。
【０１３８】
一方、ステップＳ１２の後、ステップＳ１１において、人数コースとして大人数コースの選択が受け付けられている場合、ステップＳ１３，Ｓ１４はスキップされ、処理はステップＳ１５に進む。
【０１３９】
ステップＳ１５において、表示制御部３１１は、背景選択画面をタッチパネルモニタ７１に表示させる。
【０１４０】
背景選択画面は、撮影により得られる撮影画像の背景となる背景画像の選択に用いられる画面である。背景選択画面には、ステップＳ１２において選択された背景コースに対応した背景画像が複数枚表示され、利用者は、その中から、撮影処理において行われる撮影により得られる撮影画像の枚数と同じ数、すなわち５枚の背景画像を選択することができる。
【０１４１】
背景選択画面が操作されることによって、入力受付部３１２は、背景画像の選択を受け付ける。５枚の背景画像の選択が受け付けられると、処理はステップＳ１６に進む。
【０１４２】
ステップＳ１６において、表示制御部３１１は、BGM選択画面をタッチパネルモニタ７１に表示させる。
【０１４３】
BGM選択画面は、撮影空間において流れるBGMとしての楽曲の選択に用いられる画面である。BGM選択画面には、BGMとしての楽曲の候補を表すボタンが設けられ、利用者は、その中から、いずれかのボタンを選択することができる。
【０１４４】
BGM選択画面が操作されることによって、入力受付部３１２は、BGMの選択を受け付ける。BGMの選択が受け付けられると、処理はステップＳ１７に進む。
【０１４５】
ステップＳ１７において、ガイダンス出力制御部３１３は、事前接客空間Ａ０にいる利用者に対して、撮影空間Ａ１への移動を案内する。撮影空間Ａ１への移動の案内は、タッチパネルモニタ７１に案内画面を表示させることによって、または音声をスピーカ７２から出力させることによって行われる。
【０１４６】
［撮影処理の流れ］
次に、図１８のフローチャートを参照して、上述した写真シール作成ゲームの一連の処理におけるステップＳ３の撮影処理の流れを説明する。
【０１４７】
撮影処理が開始されると、ガイダンス出力制御部３２４が、表示制御部３２１を制御し、撮影の仕方を説明する画面をタッチパネルモニタ９２に表示させるなどしてガイダンスを出力した後、ライブビュー表示画面がタッチパネルモニタ９２に表示された状態で撮影のタイミングになったとき、ステップＳ３１において、撮影制御部３２３は、１回目の撮影を行う。表示制御部３２１は、撮影によって得られた静止画である撮影画像をタッチパネルモニタ９２に表示させる。利用者は、１回目の撮影結果を確認しながら、次の撮影の準備を行うことができる。
【０１４８】
その後、２回目以降の撮影が行われる。すなわち、２回目の撮影タイミングになったとき、ステップＳ３２において、撮影制御部３２３は、２回目の撮影を行う。
【０１４９】
同様にして、ステップＳ３３乃至Ｓ３５において、撮影制御部３２３は、それぞれ３乃至５回目の撮影を行う。
【０１５０】
なお、このようにして５回行われる撮影は、事前接客処理において選択された人数コースによって異なる。
【０１５１】
具体的には、事前接客処理において、人数コースとして２人用コースが選択されている場合には、５回行われる撮影のうち、利用者に選択された回数、利用者に選択された種類の撮影アングルでの全身撮影が行われ、全身撮影以外の残りの撮影としてアップ撮影が行われる。
【０１５２】
例えば、図１７を参照して説明したように、全身撮影が行われる回数として３回が選択されている場合、１，２回目の撮影としてアップ撮影が行われ、３乃至５回目の撮影として全身撮影が行われる。
【０１５３】
また、利用者により選択された回数行われる全身撮影それぞれとして、利用者により選択された種類の撮影アングルでの全身撮影が行われる。
【０１５４】
例えば、図１７に示される全身撮影種類選択画面において、３回目の撮影として行われる全身撮影の種類として上から全身撮影が選択され、４回目の撮影として行われる全身撮影の種類として正面全身撮影が選択され、５回目の撮影として行われる全身撮影の種類として上から全身撮影が選択されている場合、３回目の撮影として、上から全身撮影が行われ、４回目の撮影として、正面全身撮影が行われ、５回目の撮影として、上から全身撮影が行われる。
【０１５５】
なお、アップ撮影、正面全身撮影、および上から全身撮影のそれぞれにおいて、カメラユニット８１の高さ、および、カメラ９１のチルト角が、撮影制御部３２３によって制御されるようになされる。
【０１５６】
具体的には、正面全身撮影が行われるときのカメラユニット８１の高さ（以下、カメラ高さという）およびカメラ９１のチルト角（カメラ９１のレンズの光軸が水平方向にある状態）をデフォルトの状態とすると、アップ撮影が行われるときには、カメラユニット８１がデフォルトの状態より所定距離だけ上方向に移動するようにカメラ高さが調整され、カメラ９１がデフォルトの状態より所定角度だけ前傾するようにチルト角が調整される。また、上から全身撮影が行われるときには、カメラユニット８１がアップ撮影時と同じ距離だけ上方向に移動するようにカメラ高さが調整され、カメラ９１がアップ撮影時よりも前傾するようにチルト角が調整される。
【０１５７】
また、アップ撮影、正面全身撮影、および上から全身撮影のそれぞれが行われるときには、カメラ高さおよびチルト角が制御されるだけではなく、ガイダンス出力制御部３２４により出力されるガイダンスにより、利用者の立ち位置も変更されるようになされる。
【０１５８】
例えば、撮影空間の床面には、カメラ９１から最も近い立ち位置、２番目に近い立ち位置、最も遠い立ち位置の、３つの立ち位置を示すラベルが貼付してあり、アップ撮影が行われるときには、利用者に対して、カメラ９１から最も近い立ち位置に立つように指示するガイダンスが出力され、上から全身撮影が行われるときには、利用者に対して、カメラ９１から２番目に近い立ち位置に立つように指示するガイダンスが出力される。また、正面全身撮影が行われるときには、利用者に対して、カメラ９１から最も遠い立ち位置に立つように指示するガイダンスが出力される。
【０１５９】
このようにして、アップ撮影および全身撮影のそれぞれが行われることで得られた撮影画像は、撮影制御部３２３により、それぞれ所定の縦横比（横縦比）でトリミングされる。さらに、全身画像により得られた撮影画像は、その全身撮影の撮影アングルの種類に応じたトリミング枠でトリミングされる。
【０１６０】
具体的には、図１９に示されるように、正面全身撮影により得られた撮影画像５１１は、横縦比が１：1.775のトリミング枠５２１でトリミングされる。このとき、撮影画像５１１における被写体（利用者）の領域である被写体領域の位置または大きさ（利用者の身長）に基づいて、トリミング枠の位置または大きさが変更される。例えば、図１９に示されるように、トリミング枠５２１より一回り小さい、横縦比が１：1.775のトリミング枠５２２が設定され、トリミングされるようにする。
【０１６１】
なお、正面全身撮影により得られた撮影画像をトリミングするトリミング枠は、その横縦比を変えて、横の長さを固定し、縦の長さのみが変更されるようにしてもよい。これにより、例えば利用者の身長が高いほど、得られる撮影画像は縦に長くなり、より大きな画像を提供することができるようになる。
【０１６２】
一方、図２０に示されるように、上から全身撮影により得られた撮影画像５３１は、横縦比が１：1.5のトリミング枠５４１でトリミングされる。このときもまた、撮影画像５３１における被写体領域の位置または大きさ（利用者の身長）に基づいて、トリミング枠の位置または大きさが変更される。例えば、図２０に示されるように、トリミング枠５４１より一回り小さい、横縦比が１：1.5のトリミング枠５４２が設定され、トリミングされるようにする。
【０１６３】
以上のように、利用者の身長に基づいてトリミング枠が変更されるので、身長の低い利用者が被写体であっても、撮影画像に写る被写体領域以外の領域（例えば背景領域）が大きくなりすぎて、利用者が小さく写ってしまうことを避けることができるようになる。
【０１６４】
なお、正面全身撮影と上から全身撮影とでは、得られる撮影画像に写る被写体領域以外の領域の大きさが異なる。具体的には、正面全身撮影により得られる撮影画像においては、撮影空間において利用者の背面にある背面パネル５１がより大きく写るのに対して、上から全身撮影により得られる撮影画像においては、撮影空間における床面がより大きく写る。
【０１６５】
また、正面全身撮影と上から全身撮影とでは、得られる撮影画像に写る利用者の高さ方向の長さが異なる。具体的には、正面全身撮影により得られる撮影画像に写る利用者の高さに比べて、上から全身撮影により得られる撮影画像に写る利用者の高さの方が短くなる。
【０１６６】
そこで、上述したように、全身画像により得られた撮影画像が、その全身撮影の撮影アングルの種類に応じたトリミング枠でトリミングされるようにすることで、トリミング後の撮影画像における被写体と背景または床面とのバランスをより適切なものにすることができる。
【０１６７】
なお、図２１に示されるように、アップ撮影により得られた撮影画像５５１は、横縦比が１：1.2のトリミング枠５６１でトリミングされる。このときもまた、撮影画像５５１における被写体領域の位置または大きさに基づいて、トリミング枠の位置または大きさが変更される。例えば、図２１に示されるように、トリミング枠５６１より一回り小さい、横縦比が１：1.2のトリミング枠５６２が設定され、トリミングされるようにする。
【０１６８】
また、事前接客処理において、人数コースとして大人数コースが選択されている場合には、５回行われる撮影として、予め決められた回数のアップ撮影と全身撮影（正面全身撮影）とが行われる。なお、正面全身撮影によって得られる撮影画像は、２人用コースの場合の正面全身撮影により得られる撮影画像と比べて横幅の大きいトリミング枠（横縦比１：1.5）でトリミングされるものとする。
【０１６９】
すなわち、本実施の形態においては、利用者の人数が所定の人数の場合に、全身撮影が行われる回数が、利用者により選択されるということができる。
【０１７０】
さて、図１８のフローチャートに戻り、ステップＳ３１乃至Ｓ３５において、５回の撮影が終わった後、ステップＳ３６において、撮影制御部３２３は、ケータイ専用撮影を行う。
【０１７１】
ケータイ専用撮影により得られる撮影画像（ケータイ専用画像）は、例えば、利用者により選択された、所定の質感や色のレイヤ画像が重畳する加工が施され、縦横比が１：１となるようにトリミングされる。このようにして得られる撮影画像は、主に、SNS(Social Networking Service)やミニブログ、ブログのサービスなどのサイトに投稿するための画像として用いられる。
【０１７２】
なお、事前接客処理において、人数コースとして大人数コースが選択されている場合、ステップＳ３６はスキップされる。
【０１７３】
ステップＳ３６の後、ステップＳ３７において、ガイダンス出力制御部３２４は、撮影を終えた利用者に対して、編集空間Ａ２−１または編集空間Ａ２−２への移動を案内する。編集空間Ａ２−１または編集空間Ａ２−２への移動の案内は、タッチパネルモニタ９２に案内画面を表示させることによって、または音声をスピーカ２３２から出力させることによって行われる。
【０１７４】
以上の処理によれば、利用者に全身撮影の回数をさせるとともに、それぞれの全身撮影における撮影アングルの種類を選択させることができるようになるので、利用者に、より確実に、好みの撮影アングルで撮影を行わせることが可能となる。
【０１７５】
なお、以上においては、利用者により選択された回数行われる全身撮影の１回毎に、利用者に選択された種類の撮影アングルでの全身撮影が行われるものとしたが、複数回行われる全身撮影の撮影アングルの種類として同一の撮影アングルの種類が選択されている場合には、全身撮影の順序を、同一の撮影アングルの種類の全身撮影が連続して行われるように変更されるようにしてもよい。
【０１７６】
例えば、上述した例では、１乃至５回目の撮影は、アップ撮影、アップ撮影、上から全身撮影、正面全身撮影、上から全身撮影の順序で行われるものとしたが、アップ撮影、アップ撮影、上から全身撮影、上から全身撮影、正面全身撮影の順序で行われるように、全身撮影の順序が変更されるようにしてもよい。これにより、カメラ高さやチルト角の調整にかかる時間を短縮したり、利用者の立ち位置の変更にかかる手間を省くことができるようになる。
【０１７７】
また、以上においては、全身撮影は、利用者の全身を写すための撮影であるものとしたが、これに限らず、例えば、利用者の腰から上を写すための撮影とするようにしてもよい。また、全身撮影により得られた撮影画像をトリミングするトリミング枠を、例えばその中心位置を固定にして時計回りまたは反時計回りの方向に所定の角度だけ傾けるように設定することで、まっすぐ立っている利用者が左または右に傾いて写る画像が得られるようにしてもよい。さらに、全身撮影により得られた撮影画像をトリミングするトリミング枠を、被写体毎に設定することで、被写体（利用者）毎の画像が得られるようにしてもよい。
【０１７８】
さらに、以上においては、２種類の撮影アングルの全身撮影が行われるように、カメラ高さが２段階に調整されるようにしたが、３種類以上の撮影アングルの全身撮影が行われるように、カメラ高さが３段階以上に調整されるようにしてもよい。この場合、カメラ高さに合わせてチルト角も調整されるようにする。
【０１７９】
例えば、上述した「正面全身撮影」および「上から全身撮影」に加えて、利用者の全身を利用者の斜め下から撮影する「下から全身撮影」が行われるようにしてもよい。この場合、カメラユニット８１がデフォルトの状態より所定距離だけ下方向に移動するようにカメラ高さが調整され、カメラ９１がデフォルトの状態より所定角度だけ後傾するようにチルト角が調整される。さらに、上述した正面全身撮影、上から全身撮影、および下から全身撮影の３種類の撮影アングルの全身撮影のうちのいずれか２種類の撮影アングルの全身撮影が行われるようにしてもよい。
【０１８０】
また、以上においては、１台のカメラ９１のカメラ高さを変えることにより、正面全身撮影と上から全身撮影とが行われるようにしたが、正面全身撮影を行うためのカメラと、上から全身撮影を行うためのカメラの２台のカメラを設けるようにしてもよい。この場合、利用者の操作性を考慮して、上下に設けられる２台のカメラの間に、タッチパネルモニタ９２が設けられるようにする。
【０１８１】
さらに、以上においては、事前接客処理において、利用者に全身撮影の回数を選択させるようにしたが、利用者に選択させる背景画像と、アップ撮影か全身撮影かを含む撮影アングルの種類とを対応付けるようにして、直接的に、利用者に全身撮影の回数を選択させるのではなく、背景画像選択画面において背景画像を選択させることによって、間接的に、利用者に全身撮影の回数を選択させるようにしてもよい。
【０１８２】
例えば、背景画像として、アップ撮影に対応付けられた背景画像が２枚、上から全身撮影に対応付けられた背景画像が２枚、そして、正面全身撮影に対応付けられた背景画像が１枚選択された場合、利用者は、間接的に、上から全身撮影の回数として２回、正面全身撮影の回数として１回を選択したことになり、２回のアップ撮影、２回の上から全身撮影、そして１回の正面全身撮影が行われることになる。
【０１８３】
また、背景選択画面において、撮影回数と同じ枚数（上述した例では５枚）の背景画像を１つのセットとしたセット背景を選択させるようにし、そのセット背景を構成する背景画像それぞれにアップ撮影か全身撮影かを含む撮影アングルの種類とを対応付けるようにしてもよい。この場合、セット背景を選択するという１回の操作だけで、全身撮影の回数と撮影アングルの種類とを利用者に選択させることができるようになる。
【０１８４】
［編集処理の流れ］
次に、図２２のフローチャートを参照して、上述した写真シール作成ゲームの一連の処理におけるステップＳ４の編集処理の流れを説明する。
【０１８５】
ステップＳ５１において、表示制御部３３１は、目・明るさ選択画面をタブレット内蔵モニタ１３１に表示させる。
【０１８６】
目・明るさ選択画面は、撮影画像における人物（利用者）の目の大きさおよび肌の明るさの選択に用いられる画面である。目・明るさ選択画面が操作されることによって、入力受付部３３２は、目の大きさおよび肌の明るさの選択を受け付け、画像処理部３３３は、選択された目の大きさおよび肌の明るさに応じて、撮影画像における利用者の目の大きさおよび肌の明るさを調整する。
【０１８７】
ステップＳ５２において、表示制御部３３１は、名前入力画面をタブレット内蔵モニタ１３１に表示させる。
【０１８８】
名前入力画面は、利用者による名前の入力に用いられる画面である。名前入力画面が操作されることによって、入力受付部３３２は、利用者それぞれの名前の入力を受け付ける。入力された利用者の名前は、後述する編集作業に用いられるスタンプ画像の一部として、利用者に提供されるようになる。
【０１８９】
名前入力画面において名前の入力が終了されると、ガイダンス出力制御部３３５が、表示制御部３３１を制御し、編集の仕方を説明する画面をタブレット内蔵モニタ１３１に表示させるなどしてガイダンスを出力する。そして、ステップＳ５３において、表示制御部３３１は、編集画面をタブレット内蔵モニタ１３１に表示させる。
【０１９０】
ステップＳ５４において、入力受付部３３２は、編集部２１０Ａまたは編集部２１０Ｂ（利用者が編集作業を行う方）の各部を制御して、利用者による撮影画像に対する編集作業を受け付け、編集部３３４は、撮影画像に対する編集を行う。
【０１９１】
編集作業が終了すると、ステップＳ５５において、表示制御部３３１は、タブレット内蔵モニタ１３１に分割数選択画面を表示し、入力受付部３３２は、利用者からの指示を受け付けることで、利用者にシール紙の分割数を選択させる。本実施の形態においては、５回行われた撮影画像それぞれのサイズの組み合わせに応じて、シールレイアウト（シールレイアウト画像）が決定される。
【０１９２】
シールレイアウトを表す情報は、印刷処理部３０４に供給され、印刷処理部３０４は、この情報を用いて、利用者に選択された分割数で分割されたシール紙の各領域に、撮影画像または編集済み画像が配置されたシールレイアウト画像をシール紙に印刷する。
【０１９３】
ステップＳ５６において、表示制御部３３１は、タブレット内蔵モニタ１３１に携帯送信用画像選択画面を表示させ、入力受付部３３２は、利用者からの指示を受け付けることで、利用者に、携帯送信用画像として例えば１枚の撮影画像を選択させる。ここで、撮影画像に限らず、携帯送信用画像として編集済み画像が選択されるようにしてもよく、また、携帯送信用画像として選択される画像は、１枚に限らず、２枚以上であってもよい。
【０１９４】
ステップＳ５７において、表示制御部３３１は、タブレット内蔵モニタ１３１にメールアドレス入力画面を表示させ、入力受付部３３２は、利用者の所有する携帯端末のメールアドレスの入力を受け付ける。
【０１９５】
その後、所定の時間が経過したか、または終了ボタンが操作されると、ステップＳ５８において、通信制御部３３６は、通信部２０３を制御し、インターネットなどのネットワークを介して、利用者により選択された携帯送信用画像を、利用者により入力されたメールアドレスとともに、例えば写真シール作成装置１の製造メーカが管理するサーバに送信する。
【０１９６】
なお、人数コースとして２人用コースが選択されている場合、ケータイ専用撮影により得られたケータイ専用画像もまた、携帯送信用画像として、上述したサーバに送信される。
【０１９７】
サーバは、利用者により入力されたメールアドレス宛てに、携帯端末がサーバにアクセスするのに必要なURLが記載されたメールを送信する。そして、そのURLに基づいて、利用者が所有する携帯端末が、ネットワークを介してサーバにアクセスすることで、サーバに送信された携帯送信用画像が携帯端末に提供される。
【０１９８】
その後、ステップＳ５９において、ガイダンス出力制御部３３５は、編集を終えた利用者に対して、印刷待ち空間Ａ３への移動を案内する。印刷待ち空間Ａ３への移動の案内は、タブレット内蔵モニタ１３１に案内画面を表示させることによって、または音声をスピーカ２４１から出力させることによって行われる。
【０１９９】
［シールレイアウトの例］
ここで、図２３乃至図２６を参照して、人数コースとして２人用コースが選択された場合のシールレイアウトの例について説明する。
【０２００】
図２３乃至図２６に示されるシール紙は、横長の矩形形状にカットされており、５回の撮影により得られた、縦長の矩形形状の５枚の撮影画像（以下、印刷画像ともいう）が、矩形の長辺同士が隣接するようにして横一列に配置されて印刷されている。
【０２０１】
人数コースとして２人用コースが選択されている場合、撮影処理部３０２によって、利用者により選択された全身撮影の回数および撮影アングルの種類に応じて、シール紙に印刷される印刷サイズ（縦横比）の異なる印刷画像が生成されるようになる。そして、本実施の形態においては、印刷画像の印刷サイズの組み合わせに応じて、シールレイアウトが決定される。
【０２０２】
（シールレイアウトの例１）
図２３は、印刷画像として、１枚のアップ画像（アップ撮影により得られた撮影画像）と、４枚の正面全身画像（正面全身撮影により得られた撮影画像）が生成された場合のシールレイアウトの例を示している。
【０２０３】
図２３に示されるシール紙６１０には、横縦比が１：1.2のアップ画像に対応する１枚の印刷画像６１１と、横縦比が１：1.775の正面全身画像に対応する４枚の印刷画像６１２乃至６１５が配置されて印刷されている。
【０２０４】
シール紙６１０においては、５枚の印刷画像６１１乃至６１５が、利用者（被写体）の頭が上になるようにして、横一列に配置されている。また、シール紙６１０においては、縦横比（横縦比）が同じ印刷画像６１２乃至６１５が連続して隣接するように配置されている。
【０２０５】
さらに、シール紙６１０において、印刷画像６１１乃至６１５のうち、印刷サイズがより小さい印刷画像６１１の近傍、具体的には、縦方向の辺が、印刷画像６１２乃至６１５より短い印刷画像６１１の上方の領域に、写真シール作成装置１の機種名である「JOKER」の文字列および撮影日時を含む文字情報６２１が配置されている。
【０２０６】
なお、印刷画像６１４，６１５の下方の領域には、編集処理において、所定時間内にメールアドレス入力画面に対してメールアドレスを入力できなかった利用者が、サーバにアクセスするのに必要なURLを取得するためのアクセス用のメールアドレスおよびシール紙のIDを含む文字情報６２２が配置されている。
【０２０７】
（シールレイアウトの例２）
図２４は、印刷画像として、１枚のアップ画像、３枚の正面全身画像、および、１枚の上から全身画像（上から全身撮影により得られた撮影画像）が生成された場合のシールレイアウトの例を示している。
【０２０８】
図２４に示されるシール紙６３０には、横縦比が１：1.2のアップ画像に対応する１枚の印刷画像６３１、横縦比が１：1.775の正面全身画像に対応する３枚の印刷画像６３２乃至６３４、および、横縦比が１：1.5の上から全身画像に対応する１枚の印刷画像６３５が配置されて印刷されている。
【０２０９】
シール紙６３０においては、５枚の印刷画像６３１乃至６３５が、利用者の頭が上になるようにして、横一列に配置されている。また、シール紙６３０においては、縦横比（横縦比）が同じ印刷画像６３２乃至６３４が連続して隣接するように配置されている。
【０２１０】
さらに、シール紙６３０において、印刷画像６３１乃至６３５のうち、印刷サイズがより小さい印刷画像６３１の近傍、具体的には、縦方向の辺が、印刷画像６３２乃至６３５より短い印刷画像６３１の上方の領域に、写真シール作成装置１の機種名である「JOKER」の文字列および撮影日時を含む文字情報６４１が配置されている。
【０２１１】
また、シール紙６３０において、印刷画像６３１乃至６３５のうち、印刷サイズがより小さい印刷画像６３５の近傍、具体的には、縦方向の辺が、印刷画像６３２乃至６３４より短い印刷画像６３５の上方の領域に、アクセス用のメールアドレスおよびシール紙のIDを含む文字情報６４２が配置されている。
【０２１２】
（シールレイアウトの例３）
図２５は、印刷画像として、３枚のアップ画像、１枚の正面全身画像、および、１枚の上から全身画像が生成された場合のシールレイアウトの例を示している。
【０２１３】
図２５に示されるシール紙６５０には、横縦比が１：1.775の正面全身画像に対応する１枚の印刷画像６５１、横縦比が１：1.2のアップ画像に対応する３枚の印刷画像６５２乃至６５４、および、横縦比が１：1.5の上から全身画像に対応する１枚の印刷画像６５５が配置されて印刷されている。
【０２１４】
シール紙６５０においては、５枚の印刷画像６５１乃至６５５が、利用者の頭が上になるようにして、横一列に配置されている。また、シール紙６５０においては、縦横比（横縦比）が同じ印刷画像６５２乃至６５４が連続して隣接するように配置されている。
【０２１５】
さらに、シール紙６５０において、印刷画像６５１乃至６５５のうち、印刷サイズがより小さい印刷画像６５２乃至６５４の近傍、具体的には、縦方向の辺が、印刷画像６５１，６５５より短い印刷画像６５３の上方の領域に、写真シール作成装置１の機種名である「JOKER」の文字列および撮影日時を含む文字情報６６１が配置されている。
【０２１６】
なお、印刷画像６５１，６５２の下方の領域には、アクセス用のメールアドレスおよびシール紙のIDを含む文字情報６６２が配置されている。
【０２１７】
（シールレイアウトの例４）
図２６は、印刷画像として、４枚のアップ画像と、１枚の正面全身画像が生成された場合のシールレイアウトの例を示している。
【０２１８】
図２６に示されるシール紙６７０には、横縦比が１：1.2のアップ画像に対応する４枚の印刷画像６７１乃至６７４と、横縦比が１：1.775の正面全身画像に対応する１枚の印刷画像６７５が配置されて印刷されている。
【０２１９】
シール紙６７０においては、５枚の印刷画像６７１乃至６７５が、利用者の頭が上になるようにして、横一列に配置されている。また、シール紙６７０においては、縦横比（横縦比）が同じ印刷画像６７１乃至６７４が連続して隣接するように配置されている。
【０２２０】
さらに、シール紙６７０において、印刷画像６７１乃至６７５のうち、印刷サイズがより小さい印刷画像６７１乃至６７４の近傍、具体的には、縦方向の辺が、印刷画像６７５より短い印刷画像６７１，６７２の上方の領域に、写真シール作成装置１の機種名である「JOKER」の文字列および撮影日時を含む文字情報６８１が配置されている。
【０２２１】
また、シール紙６７０において、印刷画像６７１乃至６７５のうち、印刷サイズがより小さい印刷画像６７１乃至６７４の近傍、具体的には、縦方向の辺が、印刷画像６７５より短い印刷画像６７１，６７２の下方の領域に、アクセス用のメールアドレスおよびシール紙のIDを含む文字情報６８２が配置されている。
【０２２２】
従来、シール紙に、印刷サイズ（縦横比）が異なる印刷画像が印刷される場合、印刷画像に写る利用者の頭の位置によらず印刷画像の向きを変えたり、いずれかの印刷画像を縮小するなどして、シール紙において、何も印刷されない領域を作らないようになされていたが、印刷画像によって向きが異なったり小さくなってしまうため、個々の印刷画像を確認するには不便であった。
【０２２３】
また、写真シール機などの文字情報は、シール紙に印刷される印刷画像の印刷サイズに関わらず、予め決められた配置で印刷されていたため、シール紙に印刷される印刷画像の印刷サイズの組み合わせによっては、シール紙全体の見た目のバランスが悪くなるおそれがあった。
【０２２４】
そこで、本実施の形態においては、印刷サイズ（縦横比）が異なる印刷画像が印刷されるシール紙において、シール紙に印刷される印刷画像のうち、印刷サイズのより小さい印刷画像の近傍に、文字情報が配置されるようにしたので、シール紙において、何も印刷されない領域を作ることなく、個々の印刷画像を確認しやすくし、かつ、シール紙全体の見た目のバランスをより良くすることが可能となる。
【０２２５】
なお、以上においては、印刷画像はいずれも、縦長の矩形形状であるものとしたが、正方形形状の印刷画像や、横長の矩形形状の印刷画像が含まれるようにしてもよい。
【０２２６】
例えば、図２７に示されるシール紙７１０には、縦横比が１：１、すなわち正方形形状のアップ画像に対応する１枚の印刷画像７１１と、横縦比が１：1.775の正面全身画像に対応する４枚の印刷画像７１２乃至７１５が配置されて印刷されている。
【０２２７】
シール紙７１０においては、印刷画像７１１乃至７１５のうち、印刷サイズがより小さい印刷画像７１１の近傍、具体的には、縦方向の辺が、印刷画像７１２乃至７１５より短い印刷画像７１１の上方の領域に、写真シール作成装置１の機種名である「JOKER」の文字列および撮影日時を含む文字情報７２１と、アクセス用のメールアドレスおよびシール紙のIDを含む文字情報７２２とが配置されている。
【０２２８】
また、図２８に示されるシール紙７３０には、横縦比が１：1.775の正面全身画像に対応する１枚の印刷画像７３１、縦横比が１：1.3、すなわち横長の矩形形状のアップ画像に対応する３枚の印刷画像７３２乃至７３４、および、縦横比が１：1.5の上から全身画像に対応する１枚の印刷画像７３５が配置されて印刷されている。
【０２２９】
シール紙７３０においては、印刷画像７３１乃至７３５のうち、印刷サイズがより小さい印刷画像７３１乃至７３３の近傍、具体的には、縦方向の辺が、印刷画像７３１，７３５より短い印刷画像７３１乃至７３３の上方の領域に、写真シール作成装置１の機種名である「JOKER」の文字列および撮影日時を含む文字情報７４１が配置され、印刷画像７３１乃至７３３の下方の領域に、アクセス用のメールアドレスおよびシール紙のIDを含む文字情報７４２が配置されている。
【０２３０】
また、以上においては、シール紙が横長の矩形形状にカットされているものとしたが、縦長の矩形形状にカットされるようにして、縦横比が異なる横長の矩形形状の印刷画像が、矩形の長辺（横方向の辺）同士が隣接するようにして縦一列に配置されて印刷されるようにしてもよい。
【０２３１】
さらに、以上においては、シール紙において印刷サイズのより小さい印刷画像の近傍に文字情報が配置されるものとしたが、印刷画像における被写体の数（利用者の人数）に応じて、文字情報の配置が変更されるようにしてもよいし、撮影処理において選択された背景コースや、編集処理において選択された目の大きさや肌の明るさに応じて、文字情報の配置が変更されるようにしてもよい。さらに、シール紙において文字情報が配置される位置を、利用者に選択させるようにしてもよい。
【０２３２】
また、撮影処理において選択された背景コースに応じて、シール紙において印刷画像配置される領域以外の領域、すなわち、シール紙の縁の領域の色が変更されるようにしてもよい。
【０２３３】
例えば、背景コースとして「KUROコース」が選択されている場合、印刷画像の背景の色は、彩度の低い黒や白を基調とした色になっているので、シール紙の縁の領域の色を、これに合わせた色とし、背景コースとして「IROコース」が選択されている場合、印刷画像の背景の色は、彩度の高い原色を基調とした色になっているので、シール紙の縁の領域の色を、これに合わせた色とする。
【０２３４】
これにより、シール紙の雰囲気に統一感を持たせることができるようになる。
【０２３５】
なお、撮影処理において選択された背景コースに応じて、シール紙の縁の領域の色が変更されることに加えて、写真シール作成装置１の機種名や撮影日時、アクセス用のメールアドレスやシール紙のIDなどの文字情報の色や書体が変更されるようにしてもよい。この場合、文字情報に含まれる星やハートなどの記号も、選択された背景コースに応じて切り替わるようにする。
【０２３６】
さらに、撮影処理において選択された背景コースに応じて、シール紙の縁の領域の色や、文字情報の色や書体が変更されるのではなく、撮影処理において選択された人数コースに応じて、シール紙の縁の領域の色や、文字情報の色や書体が変更されるようにしてもよい。
【０２３７】
例えば、人数コースとして大人数コースが選択されている場合、シール紙の縁の領域の色を淡い色に変更するようにする。これにより、シール紙に配置されている印刷画像において人物の領域が多いことによる窮屈な感じを抑えることができるようになる。
【０２３８】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２３９】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体にあらかじめ組み込まれた状態で管理者に配信される、プログラムが記録されているROM２０６や、記憶部２０２に含まれるハードディスクなどで構成される。
【０２４０】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２４１】
また、本発明の実施の形態は、上述した実施の形態に限定されるものではなく、本発明の要旨を逸脱しない範囲において種々の変更が可能である。
【符号の説明】
【０２４２】
１  写真シール作成装置
１１  撮影ユニット
１２  編集ユニット
２０  事前接客部
２１  撮影部
２２  背景部
２０１  制御部
２０８  事前接客部
２０９  撮影部
２１０  編集部
２１１  印刷部
３０１  事前接客処理部
３０２  撮影処理部
３０３  編集処理部
３０４  印刷処理部
３２１  表示制御部
３２３  撮影制御部
【要約】
【課題】より確実に、好みの撮影アングルで撮影を行わせる。
【解決手段】写真シール作成装置は、複数回行われる撮影のうち、利用者の全身を撮影する全身撮影が行われる回数を利用者に選択させる回数選択画面を表示し、利用者に選択された回数行われる全身撮影の撮影アングルの種類を利用者に選択させる種類選択画面を表示し、利用者に選択された種類の撮影アングルでの全身撮影を行う。本発明は、写真シール作成装置に適用することができる。
【選択図】図１５【図１】
0005673883.tif 000002
【図２】
0005673883.tif 000003
【図３】
0005673883.tif 000004
【図４】
0005673883.tif 000005
【図５】
0005673883.tif 000006
【図６】
0005673883.tif 000007
【図７】
0005673883.tif 000008
【図８】
0005673883.tif 000009
【図９】
0005673883.tif 000010
【図１０】
0005673883.tif 000011
【図１１】
0005673883.tif 000012
【図１２】
0005673883.tif 000013
【図１３】
0005673883.tif 000014
【図１４】
0005673883.tif 000015
【図１５】
0005673883.tif 000016
【図１６】
0005673883.tif 000017
【図１７】
0005673883.tif 000018
【図１８】
0005673883.tif 000019
【図１９】
0005673883.tif 000020
【図２０】
0005673883.tif 000021
【図２１】
0005673883.tif 000022
【図２２】
0005673883.tif 000023
【図２３】
0005673883.tif 000024
【図２４】
0005673883.tif 000025
【図２５】
0005673883.tif 000026
【図２６】
0005673883.tif 000027
【図２７】
0005673883.tif 000028
【図２８】
0005673883.tif 000029